(57)【要約】【課題】電線工事等の高所作業を行う場合、作業者による道具や部品の地上への落下を防止することができ、路上の作業者等の怪我を確実に防止できるとともに、部品が路上に残置されることがなく、人身事故や車両事故等を有効に防止することができるようにする。【解決手段】作業台４の底部に配置される四角形状の底布６と、この底布と一体に構成されて底布の各周辺部から上向きに立ち上がり、安全用柵の内側に配置される４枚の側布とを備え、前記各側布の側端縁部にそれぞれマジックテープを設け、これらのマジックテープにより前記各側布同士を接着して底部および周側部を一体に組立て、上面が開放する矩形状袋体として構成し、ヒンジにより開閉できる扉を設けるとともに、周辺に手摺りに通す孔を形成するタブを設ける。【選択図】  図１
0003148199.tif 000002
【実用新案登録請求の範囲】
【請求項１】
工事用車両に設けられた上面が開放する作業台の安全用柵の内側に装着され、作業個所の上方から落下する工具および部品類を空中で捕獲するための落下物防止用袋であって、前記作業台の底部に配置される四角形状の底布と、この底布と一体に構成されて当該底布の各周辺部から上向きに立ち上がり、前記安全用柵の内側に配置される４枚の側布とを備え、前記各側布の側端縁部にそれぞれマジックテープを設け、これらのマジックテープにより前記各側布同士を接着して底部および周側部を一体に組立て、上面が開放する矩形状袋体として構成したことを特徴とする落下物防止用袋。
【請求項２】
工事用車両に設けられた上面が開放する作業台の安全用柵の内側に装着され、作業個所の上方から落下する工具および部品類を空中で捕獲するための落下物防止用袋であって、前記作業台の底部に配置される四角形状の底布と、この底布と一体に構成されて当該底布の各周辺部から上向きに立ち上がり、前記安全用柵の内側に配置される４枚の側布とを備え、前記各側布の側端縁部にそれぞれマジックテープを設け、これらのマジックテープにより前記各側布同士を接着して底部および周側部を一体に組立て、上面が開放する矩形状袋体として構成し、ヒンジにより開閉できる扉を設けたことを特徴とする落下物防止用袋。
【請求項３】
工事用車両に設けられた上面が開放する作業台の安全用柵の内側に装着され、作業個所の上方から落下する工具および部品類を空中で捕獲するための落下物防止用袋であって、前記作業台の底部に配置される四角形状の底布と、この底布と一体に構成されて当該底布の各周辺部から上向きに立ち上がり、前記安全用柵の内側に配置される４枚の側布とを備え、前記各側布の側端縁部にそれぞれマジックテープを設け、これらのマジックテープにより前記各側布同士を接着して底部および周側部を一体に組立て、上面が開放する矩形状袋体として構成し、ヒンジにより開閉できる扉を設けるとともに、各側布の周辺には手摺りに巻付けるタグを設けたことを特徴とする落下物防止用袋。 
【考案の詳細な説明】
【技術分野】
【０００１】
本考案は道路上で高所作業等の際に路面に落下する道具その他の物を空中で捕獲し、路面に道具等が落下したり残存することを防止して、路面上を安全な状態に維持するための落下物防止用袋に関するものである。
【背景技術】
【０００２】
車両が走行する道路、特に高速道路等においては、路側帯等の高所に路灯や電線、看板その他各種の設備が設置されている。また、一般道路においても同様の設備が多数設置されている。
【０００３】
このような路灯や電線、看板その他各種の設備については、新設工事および補修工事等の際、電球の設置、点検、交換、看板の塗り替え等、種々の作業が行われる。
【０００４】
道路上の高所で行われる工事の際には、トラック用簡易クレーン等の工事用車両や、その他各種の付属設備が使用されるとともに、車両や設備に付属して手動工具等の多くの機器、道具等が使用される（例えば、特許文献１等参照）。
【０００５】
道路の建設および捕集等の工事の際、高所から設備の構造物あるいは工事用部品や機器部品、道具等が道路上に落下し、放置された場合には、走行車両との接触、飛散等によって車両事故、破損ひいては人身事故が発生する可能性がある。
【０００６】
従来では、道路の建設工事や捕集工事等の際、災害防止対策としての道路設備の高所作業時等に機器や部品の落下防止手段として、作業用トラック等の荷台の内側にビニールシートやパネル等を接着テープで手摺に固定して作業個所の下方に配置し、高所から落下する工具や部品等を空中で受け止め、工具や部品が路上に落下することを防止している。
【特許文献１】特開２００７−３２６７１２号公報
【特許文献２】特開平０９−２０２５９５号公報
【考案の開示】
【考案が解決しようとする課題】
【０００７】
上述のように、従来では災害防止対策として、道路設備における高所作業の際にトラック車両の作業用荷台に設けられる柵の内側に、作業個所の下方にビニールシートやパネル等を設置して、高所から落下する機器や部品、工具等を捕獲し、道路上への落下を防止する対策が施されている。
【０００８】
しかし、ビニールシートやパネル等では落下物を必ずしも確実に捕獲することができない場合があり、道具等、特に細かい部品が路面上に落下し、これらが路上に残存した場合には、残存物に車両が接触したり飛散することによって車両事故が発生したり、場合によっては人身事故に至ることが懸念される。
【０００９】
本考案はこのような事情に鑑みてなされたものであり、一体式のシートで落下防止を行い、高所作業に簡易かつ利便性のよい作業環境を形成することができ、車両の作業台への取付け作業や撤去作業を容易かつ確実に、短時間で取付けることができ、道路上の高所から落下する工具や部品を確実に捕獲して操作上の安全性を確保することができる落下物防止用袋を提供することを目的とする。
【課題を解決するための手段】
【００１０】
上記の目的を達成するため、本考案では、工事用車両に設けられた上面が開放する作業台の安全用柵の内側に装着され、作業個所の上方から落下する工具および部品類を空中で捕獲するための落下物防止用袋であって、前記作業台の底部に配置される四角形状の底布と、この底布と一体に構成されて当該底布の各周辺部から上向きに立ち上がり、前記安全用柵の内側に配置される４枚の側布とを備え、前記各側布の側端縁部にそれぞれマジックテープを設け、これらのマジックテープ（登録商標）により前記各側布同士を接着して底部および周側部を一体に組立て、上面が開放する矩形状袋体として構成したことを特徴とする落下物防止用袋を提供する。
【００１１】
また、本考案では、工事用車両に設けられた上面が開放する作業台の安全用柵の内側に装着され、作業個所の上方から落下する工具および部品類を空中で捕獲するための落下物防止用袋であって、前記作業台の底部に配置される四角形状の底布と、この底布と一体に構成されて当該底布の各周辺部から上向きに立ち上がり、前記安全用柵の内側に配置される４枚の側布とを備え、前記各側布の側端縁部にそれぞれマジックテープを設け、これらのマジックテープにより前記各側布同士を接着して底部および周側部を一体に組立て、上面が開放する矩形状袋体として構成し、ヒンジにより開閉できる扉を設けたことを特徴とする落下物防止用袋を提供する。
【００１２】
また、本考案では、工事用車両に設けられた上面が開放する作業台の安全用柵の内側に装着され、作業個所の上方から落下する工具および部品類を空中で捕獲するための落下物防止用袋であって、前記作業台の底部に配置される四角形状の底布と、この底布と一体に構成されて当該底布の各周辺部から上向きに立ち上がり、前記安全用柵の内側に配置される４枚の側布とを備え、前記各側布の側端縁部にそれぞれマジックテープを設け、これらのマジックテープにより前記各側布同士を接着して底部および周側部を一体に組立て、上面が開放する矩形状袋体として構成し、ヒンジにより開閉できる扉を設けるとともに、周辺に手摺りに通す孔を形成するタブを設けたことを特徴とする落下物防止用袋を提供する。
【考案の効果】
【００１３】
本考案によれば、路上設備の設置工事、補修工事等の際に設備上方の高所から作業中に作業者が道具や設備構成部品等を誤って道路上に落下した場合でも、工事箇所直下の一定の範囲を落下物防止袋で下方から覆う配置で設置しておくことにより、道具等を路上に落下させることなく捕獲することができ、路上等への落下物を確実に防止することができる。
【００１４】
したがって、例えば電線工事等の高所作業を行う場合、作業者による道具や部品の地上への落下を防止することができ、路上の作業者等の怪我を確実に防止できるとともに、部品が路上に残置されることがなく、人身事故や車両事故等を有効に防止することができる。
【考案を実施するための最良の形態】
【００１５】
以下、本考案に係る落下物防止用袋の一実施形態について図面を参照して説明する。
【００１６】
図１は、本実施形態による落下物防止用袋の全体構成を示す斜視図である。この図１に示すように、本実施形態の落下物防止用袋１は例えば頒布によって構成されている。なお、適用される頒布は一定の厚さ、硬度等を備え、型崩れ等をし難い材質のものが望ましい。この落下物防止用袋１は、工事用車両としてのトラック２に設けられた上面が開放する基台（作業台）４上に搭載されており、安全用柵としての骨組枠５の内側に装着されている。
【００１７】
この落下物防止用袋１が、図示を省略した作業個所の上方から落下する工具や、部品類を空中で捕獲するための上面開放型の四角形袋として構成されている。この落下物防止用袋１は、工事用トラック２の後部荷台側に、昇降装置３を介して搭載されている。なお、図１に示した工事用車両の構成は一例であり、図示以外の各種車両、例えば大型、小型の各種トラック、また３輪車等についても適用することが可能である。
【００１８】
昇降装置３の上端部には、水平な鉄板等によって構成された四角形状の基台４が設けられており、この基台４の上面には四角柵状の骨組枠５が所定の高さ、例えば作業者の腰高以上の高さに配設されている。
【００１９】
四角形の骨組枠５の内側には、落下物防止用袋１の四角形状の底布６が基台４の上に搭載された状態で挿入されている。具体的には、落下物防止用袋１の底布６は、トラック２の昇降装置３の上側に配置された基台４の上に水平な配置で装着されている。
【００２０】
底布６の上には、車両２の進行方向に向って前面側に前側布７が縦向きに立上る状態で配置されている。また、車両２の進行方向に向って右側（図１においては車両２の右側が図の左側に図示されている。）には、右側布８が縦向きに立上る状態で配置されている。さらに、進行方向に向って左側（図１においては車両２の左側が図の右側に図示されている。）には、左側布８が縦向きに立上る状態で配置されている。
【００２１】
車両２の前側には、前側布８が縦向きに立上る状態で配置されており、車両２の後側には、後側布９が縦向きに立上る状態で配置されている。
【００２２】
次に、図２−図７によって落下物防止袋１の構成を詳細に説明する。
【００２３】
図２は、図１に示した落下物防止袋１を展開して示す平面図である。
【００２４】
図２に示すように、落下物防止袋１は展開状態において、全体として十文字型をなしており、この落下物防止袋１の中央位置には、縦長な長方形をなす底布６を有している。この底布６の一隅部、例えば図２の右上に示した後部位置の隅部には、図１に示した操縦盤１１を設置するための操縦盤用孔１２が開けてある。この落下物防止袋１は、底布６、前側布７、右側布８、後側布９、左側布１０から構成されている。
【００２５】
落下物防止袋１の前側布７は底布６の前縁側（図示下側）に連結されており、底布６に対して厚さ方向（図の紙面の表面側方向）に折り曲げ線１３を介して折曲できるようになっている。この前側布７は幅方向（図の左右方向）において、長さ方向（図の上下方向）に沿うＬ字形のスリット１４を介して二分されている。二分された前側布７の一方の片（左側部分）１５の幅は前側布７の全体幅の約３分の２の幅であり、二分された前側布７の他方の片（右側部分）１６の幅は前側布７の全体幅の約３分の１の幅である。
【００２６】
前側布７の一方の片（左側部分）１５の左側端部の表面には、この片（左側部分）１５の縁方向に沿ってマジックテープ１７が貼付してある。また、前側布７の他方の片（右側部分）１６の右側端部の表面にも、この片（右側部分）１６の縁方向に沿ってマジックテープ２９が貼付してある。
【００２７】
さらに、前側布７の突出端（図の下側）には所定の間隔をあけて３枚のタグ１８、１９、２０が設けてあり、前側布７の幅方向（左右方向）の左端には上下に所定の間隔をあけて２枚のタグ２１、２２が設けてある。また、前側布７の幅方向（左右方向）の右端にも所定の間隔をあけて２枚のタグ２３、２４が設けてある。
【００２８】
これらの幅方向両端の各タグ２１、２２、２３、２４の表面の先端部には縁に沿ってマジックテープ２５、２６、２７、２８がそれぞれ貼付されている。
【００２９】
一方、図２の上側に示した落下物防止袋１の後側布９は底布６の後縁側（図示上側）に連結されており、底布６に対して厚さ方向（図の紙面の表面側方向）に折り曲げ線７１を介して折曲できるようになっている。この後側布９の左側端部の表面には、この後側布９の縁方向に沿ってマジックテープ３０が貼付してある。また、後側布９の右側端部の表面にも、この後側布９の縁方向に沿ってマジックテープ３１が貼付してある。
【００３０】
さらに、後側布９の突出端（図の上側）には所定の間隔をあけて４枚のタグ３２、３３、３４、３５が設けてあり、また後側布９の幅方向（左右方向）の左端には所定の間隔をあけて２枚のタグ３６、３７が設けてある。また、後側布９の幅方向（左右方向）の右端にも所定の間隔をあけて２枚のタグ３８、３９が設けてある。これらの各タグ３６、３７、３８、３９の表面の先端部には先端縁に沿ってマジックテープ４０、４１、４２、４３がそれぞれ貼付されている。
【００３１】
また、図２の左側に示した落下物防止袋１の右側布８は底布６の左縁側（図の左側）に連結されており、底布６に対して厚さ方向（図の紙面の表面側方向）に折り曲げ線７２を介して折曲できるようになっている。右側布８の先端（図の左側）の表側には、４枚のタグ４４、４５、４６、４７がほぼ一定の間隔をあけて設けられている。そして、この右側布８の幅方向（図の上下端）の両端部の裏面側には、端縁に沿ってマジックテープ４８、４９がそれぞれ貼付されている。
【００３２】
さらに、図２の右側に示した落下物防止袋１の左側布１０は底布６の右縁側（図の右側）に連結されており、底布６に対して厚さ方向（図の紙面の表面側方向）に折り曲げ線７３を介して折曲できるようになっている。左側布１０の先端（図の右側）の表側には、４枚のタグ５０、５１、５２、５３がほぼ一定の間隔をあけて設けられている。そして、この左側布１０の幅方向（図の上下端）の両端部の裏面側には、端縁に沿ってマジックテープ５４、５５がそれぞれ貼付されている。
【００３３】
また、前側布７、右側布８、後側布９、左側布１０の外周縁部分には、それぞれ端縁部に沿って紐通し用の多数の孔５６、５６、５６・・・が形成されている。これらの孔５６、５６、５６・・・はそれぞれ配列されたタグ同士の間隔のそれぞれ略中央位置に穿設されている。
【００３４】
図３は、図２に示した落下物防止袋１を裏面側から見た状態を示す裏面図である。
【００３５】
図３に示すように、落下物防止袋１の裏面は図２に示した構成を裏面から示しており、全体として十文字型をなし、落下物防止袋１の中央位置には、縦長な長方形をなす底布６を有している。この底布６の一隅部、例えば図３左上に示した後部位置の隅部には、図１に示した操縦盤１１を設置するための操縦盤用孔１２が示してある。この落下物防止袋１は、底布６、前側布７、右側布８、後側布９、左側布１０から構成されている。
【００３６】
落下物防止袋１の前側布７は底布６の前縁側（図の下側）に連結されており、底布６に対して厚さ方向（図の紙面の表面側方向）に折り曲げ線１３を介して折曲できるようになっている。この前側布７は幅方向（図の左右方向）において、長さ方向（図の上下方向）に沿うＬ字形をしたスリット１４を介して二分されている。二分された前側布７の一方の片（右側部分）１５の幅は前側布７の全体幅の約３分の２の幅であり、二分された前側布７の他方の片（左側部分）１６の幅は前側布７の全体幅の約３分の１の幅である。
【００３７】
前側布７の一方の片（右側部分）１５の左側端部の裏面には、この片（右側部分）１５の縁方向に沿ってマジックテープ１７が貼付してある。また、前側布７の他方の片（左側部分）１６の左側端部の裏面にも、この片（左側部分）１６の縁方向に沿ってマジックテープ２９が貼付してある。
【００３８】
さらに、前側布７の突出端には所定の間隔をあけて３枚のタグ１８、１９、２０が設けてあり、また前側布７の幅方向（左右方向）の右端には所定の間隔をあけて２枚のタグ２１、２２が設けてある。また、前側布７の幅方向（左右方向）の左端にも所定の間隔をあけて２枚のタグ２３、２４が設けてある。それぞれのタグ１８、１９、２０における表面（図３で示す表であり、この図では落下防止用袋１は裏面になる）の先端部には、その先端縁に沿ってマジックテープ１１０、１１１、１１２が貼付してある。また、前側布７の縁側（図の下側）であって、各タグ１８、１９、２０が設けられた位置に対応した位置にはマジックテープ８４、８５、８６がそれぞれ貼付されている。
【００３９】
一方、図３の上側に示した落下物防止袋１の後側布９は底布６の後縁側（図の上側）に連結されており、底布６に対して厚さ方向（図の紙面の表面側方向）に折り曲げ線７１を介して折曲できるようになっている。この後側布９の右側端部の裏面には、この後側布９の縁方向に沿ってマジックテープ３０が貼付してある。また、後側布９の左側端部の裏面にも、この後側布９の縁方向に沿ってマジックテープ３１が貼付してある。
【００４０】
さらに、後側布９の突出端（図の上側）には所定の間隔をあけて４枚のタグ３２、３３、３４、３５が設けてあり、また後側布９の幅方向（左右方向）の右端には所定の間隔をあけて２枚のタグ３６、３７が設けてある。また、後側布９の幅方向（左右方向）の左端にも所定の間隔をあけて２枚のタグ３８、３９が設けてある。
【００４１】
そして、これらの各タグ３２、３３、３４、３５の表面（図３で示す表であり、この図では落下防止用袋１は裏面になる）の先端部には、その先端縁に沿ってマジックテープ１１４、１１５、１１６、１１７がそれぞれ貼付されている。また、後側布９の縁側（図の上側）であって、各タグ３２、３３、３４、３５が設けられた位置に対応した位置にはマジックテープ８９、９０、９１、９２がそれぞれ貼付されている。
【００４２】
また、図３の右側に示した落下物防止袋１の右側布８は底布６の右縁側（図の右側）に連結されており、底布６に対して厚さ方向（図の紙面の表面側方向）に折り曲げ線７２を介して折曲できるようになっている。右側布８の先端の表側には、４枚のタグ４４、４５、４６、４７がほぼ一定の間隔をあけて設けられている。それぞれのタグ４４、４５、４６、４７の先端縁に沿ってマジックテープ７５、７６、７７、７８がそれぞれ貼付されている。また、右側布８の右縁側（図の右側）であって、各タグ４４、４５、４６、４７が設けられた位置に対応した位置にはマジックテープ９４、９５、９６、９７がそれぞれ貼付されている。
【００４３】
そして、この右側布８の幅方向両端部（図の上下）の表面（図３で示す表であり、この図では落下防止用袋１は裏面になる）の側には、先端縁に沿ってマジックテープ４８、４９がそれぞれ貼付されている。また、右側布８の幅方向の上下の位置であって、マジックテープ４８、４９が貼付された位置に対応する位置にはマジックテープ９８、９９、１００、１０１がそれぞれ貼付されている。
【００４４】
さらに、図３の左側に示した落下物防止袋１の左側布１０は底布６の左縁側（図の左側）に連結されており、底布６に対して厚さ方向（図の紙面の表面側方向）に折り曲げ線７３を介して折曲できるようになっている。左側布１０の先端（図の左側）の表側（図３で示す表であり、この図では落下防止用袋１は裏面になる）には、４枚のタグ５０、５１、５２、５３がほぼ一定の間隔をあけて設けられている。それぞれのタグ５０、５１、５２、５３の先端縁に沿ってマジックテープ７９、８０、８１、８２がそれぞれ貼付されている。また、左側布１０の左縁側（図の左側）であって、各タグ５０、５１、５２、５３が設けられた位置に対応した位置にはマジックテープ１０２、１０３、１０４、１０５がそれぞれ貼付されている。
【００４５】
そして、この左側布１０の幅方向両端部（図の上下）の表面（図３で示す表であり、この図では落下防止用袋１は裏面になる）の側には、先端縁に沿ってマジックテープ５４、５５がそれぞれ貼付されている。また、左側布１０の幅方向の上下の位置であって、マジックテープ５４、５５が貼付された位置に対応する位置にはマジックテープ１０６、１０７、１０８、１０９がそれぞれ貼付されている。
【００４６】
次に、図４−図７を参照して落下物防止用袋１の使用方法を説明する。
【００４７】
図４は、落下物防止用袋１を平坦な状態から、底布６に対して、前側布７、右側布８、後側布９および左側布１０を折り開き始める状態を示す斜視図である。この図４に示すように、折り開き始めの初期段階においては、底布６に対して前側布７、右側布８、後側布９および左側布１０がそれぞれ折曲げ線１３、７１、７２、７３を折曲げ縁として、次第に傾斜状に起立してゆく。
【００４８】
すなわち、落下物防止用袋１が底布６と一体に構成されて当該底布６の各周辺部から上向きに立ち上がり、安全用柵としての骨組枠５の内側に配置される４枚の側布７、９、８、１０が立上る。
【００４９】
図５は、図４に示した状態から落下物防止用袋１をさらに起立させて、各前側布７、右側布８、後側布９および左側布１０の各折曲角度が９０°となり、箱形に組立てられた状態を示している。
【００５０】
この図５の状態では、一方向において右側布８と左側布１０とが対面するとともに、これと直交する方向において前側布７と後側布９とが対面する構成となり、上面が開口する箱形をなす状態になる。なお、図５に示した折込み段階では、箱形の各隅角部におけるタグ２１、２２、２３、２４、３６、３７、３８、３９が、それぞれ曲げられる前の状態であり、直線状になって外側方に突出している。
【００５１】
また、この図５の段階においては、タグ１８、１９、２０、３２、３３、３４、３５、４４、４５、４６、４７、５０、５１、５２、５３がそれぞれ上方に突出している。
【００５２】
図６は、図５に示した組立状態の落下物防止用袋１を骨組枠５の上方に配置した状態を示している。
【００５３】
この図６に示すように、骨組枠５は基台４の上に搭載されている。骨組枠５は例えば縦幹５９ａと上下２段の横バー５９ｂ、５９ｃとにより、逆Ｕ字形の鉄骨５９として構成されており、複数本の鉄骨５９を隣接配置として基台４の上縁に沿って着脱自在に配列したものである。基台４の前側には一対の幅が狭い鉄骨５９が間を空けて設けられ、一対の鉄骨５９の間にはドア部材５８が配置されている。ドア部材５８は一方の鉄骨５９の上下中の位置でヒンジ５７により開閉可能に連結されている。
【００５４】
このドア部材５８の配置は、落下物防止用袋１の前面に設けた一方の片１５からなる開閉扉に対向する配置となっている。これにより、骨組枠５のドア部材５８と落下物防止用袋１の片１５とは一定の位置で開閉操作することができる。
【００５５】
図７は、骨組枠５に落下物防止用袋１を装着した状態を示す拡大斜視図である。この図７に示すように、落下物防止用袋１の本体部分は骨組枠５の内側に配置される。この状態で底布６を持つ落下物防止用袋１が骨組枠５内に保持される。そして、落下物防止用袋１が骨組枠５内に挿入されてからタグ２３、２４は骨組枠５の外側に引き出され、落下物防止用袋１の骨組枠５における角部で直角に配置された一対の縦幹５９ａ、５９ａの外側に回される。そして、外側に回されたタグ２３、２４は縦幹５９ａ、５９ａを覆うようにして左側布１０の方向に曲げられる。そして、タグ２３に貼付けたマジックテープ２７を左側布１０のマジックテープ１０９に密着させ、タグ２４に貼付けたマジックテープ２８を左側布１０のマジックテープ１０８に密着させてそれぞれを連結させる。これらのマジックテープ２７、２８、１０８、１０９により、縦幹５９ａ、５９ａの回りにタグ２３、２４を固定させる。こうして、落下物防止用袋１を骨組枠５の隅角部に保持することができる。
【００５６】
また、落下物防止用袋１に設けた多数の孔５６には、結束用の押え紐６９を通し、かつ孔５６に通した押え紐６９を骨組枠５の横バー５９ｂに結束する。
【００５７】
さらに、図２に示したタグ１８、１９、２０、３２、３３、３４、３５、４４、４５、４６、４７、５０、５１、５２、５３を、図７に拡大して示したように、骨組枠５の横バー５９ｂに巻き付ける。その後、各タグ１８、１９、２０、３２、３３、３４、３５、４４、４５、４６、４７、５０、５１、５２、５３に貼付けたマジックテープ７５、７６、７７、７８、７９、８０、８１、８２、１１０、１１１、１１２、１１４、１１５、１１６、１１７を前側布７、右側布８、後側布９、左側布１０に貼付けたマジックテープ８４、８５、８６、８９、９０、９１、９２、９４、９５、９６、９７、１０２、１０３、１０４、１０５に密着させてそれぞれのタグ１８、１９、２０、３２、３３、３４、３５、４４、４５、４６、４７、５０、５１、５２、５３を横バー５９ｂから外れないように固定させる。
【００５８】
このように、安全用柵である骨組枠５の内側には箱型をした落下物防止用袋１が挿入され、落下物防止用袋１はタグ２１、２２、２３、２４、３６、３７、３８、３９、１８、１９、２０、３２、３３、３４、３５、４４、４５、４６、４７、５０、５１、５２、５３によって固定されることになり、上面が開放する矩形状袋体として構成するものである。
【００５９】
以上の実施形態で詳述したように、本実施形態によれば、路上設備の設置工事、補修工事等の際に設備上方の高所から作業中に作業者が道具や設備構成部品等を誤って道路上に落下した場合でも、工事箇所直下の一定の範囲を落下物防止袋で下方から覆う配置で設置しておくことにより、道具等を路上に落下させることなく捕獲することができ、路上等への落下物を確実に防止することができる。したがって、例えば電線工事等の高所作業を行う場合、作業者による道具や部品の地上への落下を防止することができ、路上の作業者等の怪我を確実に防止できるとともに、部品が路上に残置されることがなく、人身事故や車両事故等を有効に防止することができる。
【００６０】
また、本実施形態によれば、落下物防止袋に上方からの落下物、例えば工事用道具等が落下した場合に路面に落下することなく、作業位置下方への設置により、全て受け止めることができる。したがって、路面に落下した道具等によって事故が発生する可能性を無くすることができる。
【００６１】
また、本実施形態の落下物防止袋はヒンジで開閉させることができ、柵鉄骨バー、円筒状のホルダ部に装着することができる。したがって、簡単に止めることができ、しかも安全に保持することができる。
【００６２】
さらに、本実施形態によれば、落下物防止袋が幌布のみで構成されているため、取扱容易に行え、作業性がよく、安全性も高い。
【００６３】
そして、シートを切った形でマジックテープで止める構成としたので、構成が簡単で、取扱い性も高めることができる。
【図面の簡単な説明】
【００６４】
【図１】本考案の一実施形態による落下物防止袋の全体構成を示す斜視図である。
【図２】図１に示した落下物防止袋を展開して示す平面図である。
【図３】図２に示した落下物防止袋を展開して裏面から見た上体を示す平面図である。
【図４】図３に示した落下物防止袋を少し開いた状態で示す斜視図である。
【図５】図４に示した落下物防止袋の側壁を縦状態として示す斜視図である。
【図６】図５に示した落下物防止袋を支持枠に装着する配置構成を示す斜視図である。
【図７】図６に示した落下物防止袋を支持枠に取付けた状態を示す拡大斜視図である。
【符号の説明】
【００６５】
１  落下物防止用袋
２  トラック
３  昇降装置
４  基台（作業台）
５  骨組枠（安全用柵）
６  底布
７  前側布
８  右側布
９  後側布
１０  左側布
１１  操縦盤
１２  操縦盤用孔
１３  折曲げ線
１４  スリット
１５  一方の片
１６  他方の片
１７  マジックテープ
１８、１９、２０、２１、２２、２３、２４  タグ
２５、２６、２７、２８、２９、３０、３１  マジックテープ
３２、３３、３４、３５、３６、３７、３８、３９  タグ
４０、４１、４２、４３  マジックテープ
４４、４５、４６、４７  タグ
４８、４９  マジックテープ
５０、５１、５２、５３  タグ
５４、５５  マジックテープ
５６  孔
５７  ヒンジ
５８  ドア部材
５９  鉄骨
５９ａ  縦幹
５９ｂ、５９ｃ  横バー
６０  中間梁
６９  押え紐
７１、７２、７３  折り曲げ線
７５、７６、７７、７８、７９、８０、８１、８２、８４、８５、８６、８９、９０、９１、９２、９４、９５、９６、９７、１００、１０１、１０２、１０３、１０４１１０、１１１、１１２、１１４、１１５、１１６、１１７  マジックテープ
【図１】
0003148199.tif 000003
【図２】
0003148199.tif 000004
【図３】
0003148199.tif 000005
【図４】
0003148199.tif 000006
【図５】
0003148199.tif 000007
【図６】
0003148199.tif 000008
【図７】
0003148199.tif 000009